(57)【特許請求の範囲】
【請求項１】
ボトムカバーと、
前記ボトムカバーの内部に配置される発光モジュールと、
前記ボトムカバーの一側に装着される第１放熱部材と、
前記ボトムカバーの他側に配置され、前記発光モジュールと前記第１放熱部材との間において前記発光モジュールの熱を前記第１放熱部材に伝達する第２放熱部材と、
前記ボトムカバーの下部に設けられる装着溝と、
を含み、
前記第２放熱部材は、
前記第１放熱部材と接触するように設けられた第１放熱部と、
前記発光モジュールと接触するように設けられた第２放熱部と、を有し、
前記装着溝は、前記第２放熱部材の前記第１放熱部が前記第１放熱部材と接触状態を維持しながら装着されるようにし、前記ボトムカバーの内部と外部を連通させることを特徴とするバックライトユニット。
【請求項２】
前記発光モジュールは、前記ボトムカバーの内部の一側に一列に配置され、
前記第２放熱部材の前記第２放熱部は、前記発光モジュールの下部に配置され、
前記第２放熱部材の前記第１放熱部は、前記第２放熱部から折り曲がって前記第１放熱部材と面接触するように設けられることを特徴とする、請求項１に記載のバックライトユニット。
【請求項３】
前記装着溝は、前記第２放熱部材に対応して配置されることを特徴とする、請求項１に記載のバックライトユニット。
【請求項４】
前記装着溝の幅は、前記第２放熱部材の幅と同一であることを特徴とする、請求項１乃至３のいずれか１項に記載のバックライトユニット。
【請求項５】
前記第１放熱部材は、前記ボトムカバーの背面に一方向に装着され、
前記第１放熱部材の一端部は前記ボトムカバーの背面の一端部を経て前記第２放熱部材の前記第１放熱部と面接触するように延在することを特徴とする、請求項１乃至４のいずれか１項に記載のバックライトユニット。
【請求項６】
前記第１放熱部材は、複数個が前記ボトムカバーの背面に配置され、相互離隔して配置されることを特徴とする、請求項１乃至５のいずれか１項に記載のバックライトユニット。
【請求項７】
前記発光モジュールは、モジュール基板と、前記モジュール基板の上面に設けられる発光素子と、を含み、
前記第１放熱部は、前記モジュール基板の側面及び前記第１放熱部材の上面に接触し、前記第２放熱部は、前記モジュール基板の下面に接触することを特徴とする、請求項１に記載のバックライトユニット。
【請求項８】
前記モジュール基板の側面と前記第１放熱部とは第１接着剤を介して接触し、前記モジュール基板の下面と前記第２放熱部とは第２接着剤を介して接触することを特徴とする、請求項７に記載のバックライトユニット。
【請求項９】
前記第２放熱部材の前記第１放熱部は、前記第１放熱部材の上面に平行に配置され、前記第２放熱部材の前記第２放熱部は、前記第１放熱部材の上面に垂直に配置されることを特徴とする、請求項７または８に記載のバックライトユニット。
【請求項１０】
前記第１放熱部の上面には反射シートが配置され、前記第１放熱部の下面には前記第１放熱部材が配置されることを特徴とする、請求項７乃至９のいずれか１項に記載のバックライトユニット。
【請求項１１】
前記第１放熱部は、相対向する第１端部と第２端部を有し、前記第１放熱部の第１端部は前記ボトムカバーの端部に接触し、前記第１放熱部の第２端部は前記第２放熱部の端部に接触することを特徴とする、請求項７乃至１０のいずれか１項に記載のバックライトユニット。
【請求項１２】
ボトムカバーと、
前記ボトムカバーの内部に配置される発光モジュールと、
前記ボトムカバーの一側に装着される第１放熱部材と、
前記ボトムカバーの他側に配置され、前記発光モジュールと前記第１放熱部材との間において前記発光モジュールの熱を前記第１放熱部材に伝達する第２放熱部材と、
前記ボトムカバーの下部に設けられる装着溝と、
前記発光モジュールの出光方向に配置される導光板と、
前記導光板上に配置される光学シートと、
前記光学シート上部に配置されるディスプレイパネルと、
を含み、
前記第２放熱部材は、前記第１放熱部材と接触するように設けられた第１放熱部と、前記発光モジュールの下部に設けられて前記発光モジュールと接触する第２放熱部と、を有し、
前記装着溝は、前記第２放熱部材の前記第１放熱部が前記第１放熱部材と接触状態を維持しながら装着されるようにし、前記ボトムカバーの内部と外部を連通させることを特徴とする、バックライトユニットを備える表示装置。
【請求項１３】
前記発光モジュールは、前記ボトムカバーの内部の一側に一列に配置され、
前記第１放熱部と前記第２放熱部は一体として形成されることを特徴とする、請求項１２に記載のバックライトユニットを備える表示装置。
【請求項１４】
前記第２放熱部材の前記第１放熱部は前記第１放熱部材の上面に対して平行に配置され、前記第２放熱部材の前記第２放熱部は前記第１放熱部材の上面に対して垂直に配置されることを特徴とする、請求項１２または１３に記載のバックライトユニットを備える表示装置。
【請求項１５】
前記第１放熱部の上面上には反射シートが配置され、前記第１放熱部の下面上には前記第１放熱部材が配置されることを特徴とする、請求項１２乃至１４のいずれか１項に記載のバックライトユニットを備える表示装置。
【請求項１６】
前記第１放熱部は、相対向する第１端部及び第２端部を有し、前記第１放熱部の第１端部は前記ボトムカバーの端部に接触し、前記第１放熱部の第２端部は前記第２放熱部の端部に接触することを特徴とする、請求項１２乃至１５のいずれか１項に記載のバックライトユニットを備える表示装置。
【請求項１７】
前記第１放熱部材は、前記ボトムカバーの背面に一方向に装着され、
前記第１放熱部材の一端部は前記ボトムカバーの背面の一端部を経て前記第２放熱部材の前記第１放熱部と面接触するように延在することを特徴とする、請求項１２乃至１６のいずれか１項に記載のバックライトユニットを備える表示装置。
【請求項１８】
前記第１放熱部材は複数の第１放熱部材を含み、
前記複数の第１放熱部材のそれぞれの長軸は、前記ボトムカバーの第１方向に配列され、
前記第２放熱部材の長軸は、前記ボトムカバーの前記第１方向と直交する第２方向に配列され、
前記複数の第１放熱部材は前記ボトムカバーの前記第２方向に配列されて前記第２放熱部材と接触することを特徴とする、請求項１乃至１１のいずれか１項に記載のバックライトユニット。
【発明の詳細な説明】
【技術分野】
【０００１】
実施例は、バックライトユニット及びこれを備える表示装置に係り、特に、円滑に熱を放出できるバックライトユニット及びこれを備える表示装置に関するものである。
【背景技術】
【０００２】
表示装置の一つである液晶表示装置は、画像を表示する上で、光を提供するバックライトユニットを必要とする。
【０００３】
バックライトユニットは、ボトムカバーと、ボトムカバーに設けられて光を発生させる光源と、光源に隣接して設けられ、ボトムカバーの前面に配置されて光源の光を導く導光板と、導光板に付着されて、導光板から出射する光を拡散または屈折させる光学シートと、を含む。
【０００４】
そして、表示装置は、バックライトユニットから放出された光の進行経路上に配置されるディスプレイパネルを含む。
【発明の概要】
【発明が解決しようとする課題】
【０００５】
実施例は、発光モジュールから発散する熱がより容易にバックライトユニットの外部に放出されるような構造を有するバックライトユニット及びこれを備える表示装置を提供することを目的とする。
【課題を解決するための手段】
【０００６】
上記目的を達成するための実施例によるバックライトユニットは、ボトムカバーと、前記ボトムカバーの内部に配置される発光モジュールと、前記ボトムカバーの一方の側に装着される第１放熱部材と、前記ボトムカバーの他方の側に配置され、前記発光モジュールと前記第１放熱部材との間において前記発光モジュールの熱を前記第１放熱部材に伝達する第２放熱部材と、を含むことができる。
【０００７】
ここで、前記第２放熱部材は、前記第１放熱部材と接触するように設けられる第１放熱部と、前記発光モジュールと接触するように設けられる第２放熱部と、を含むことができる。
【０００８】
そして、前記発光モジュールは、前記ボトムカバーの内部の一方の側に一列に配置され、前記第２放熱部材の第２放熱部は、前記発光モジュールの下部に配置され、前記第２放熱部材の第１放熱部は、前記第２放熱部から折り曲がって前記第１放熱部材と面接触するように設けられることができる。
【０００９】
また、上記バックライトユニットは、前記ボトムカバーの下部に設けられ、前記第２放熱部材の第１放熱部が前記第２放熱部材と接触状態を維持しながら装着され、前記ボトムカバーの内部と外部を連通させる装着溝をさらに含むことができる。
【００１０】
ここで、前記装着溝は、前記第２放熱部材に対応して配置されることができ、前記装着溝の幅は、前記第２放熱部材の幅と同一にすることができる。
【００１１】
また、前記第１放熱部材は、前記ボトムカバーの背面に一方向に装着され、前記第１放熱部材の一端部は前記ボトムカバーの背面の一端部を経て前記第２放熱部材の第１放熱部と面接触するように延在することができる。
【００１２】
また、前記第１放熱部材は、複数個が前記ボトムカバーの背面に配置され、相互離隔して配置されることができる。
【００１３】
実施例によるバックライトユニットは、ボトムカバーと、前記ボトムカバーの内部の一方の側に配置され、モジュール基板と前記モジュール基板の上面に形成される発光素子を含む発光モジュールと、前記ボトムカバーの外部に装着される第１放熱部材と、前記ボトムカバーの内部に配置され、前記モジュール基板の側面及び前記第１放熱部材の上面に接触される第１放熱部、及び前記モジュール基板の下面に接触される第２放熱部を含み、前記発光モジュールの熱を前記第１放熱部材に伝達する第２放熱部材と、を含むことができる。
【００１４】
ここで、前記モジュール基板の側面と前記第１放熱部とは第１接着剤を介して接触し、前記モジュール基板の下面と前記第２放熱部とは第２接着剤を介して接触することができる。
【００１５】
また、前記第２放熱部材の第１放熱部は、前記第１放熱部材の上面に平行に配置され、前記第２放熱部材の第２放熱部は、前記第１放熱部材の上面に垂直に配置されることができる。
【００１６】
また、前記第１放熱部の上面には反射シートが配置され、前記第１放熱部の下面には前記第１放熱部材が配置されることができる。
【００１７】
そして、前記第１放熱部は、互いに対向する第１端部及び第２端部を有し、前記第１放熱部の第１端部は前記ボトムカバーの端部に接触し、前記第１放熱部の第２端部は前記第２放熱部の端部に接触することができる。
【００１８】
実施例によるバックライトユニットを備える表示装置は、ボトムカバーと、前記ボトムカバーの内部に配置される発光モジュールと、前記ボトムカバーの一方の側に装着される第１放熱部材と、前記ボトムカバーの他方の側に配置され、前記発光モジュールと前記第１放熱部材との間において前記発光モジュールの熱を前記第１放熱部材に伝達する第２放熱部材と、前記発光モジュールの出光方向に配置される導光板と、前記導光板上に配置される光学シートと、前記光学シートの上部に配置されるディスプレイパネルと、を含むことができる。
【発明の効果】
【００１９】
実施例によれば、バックライトの内部ではなく外部に放熱部材を装着するため、放熱部材に伝達された発光モジュールの熱をバックライトの外部空間で放熱させることができ、従来技術に比べてより円滑に発光モジュールから熱が除去され、発光モジュールの寿命延長に寄与することが可能になる。
【図面の簡単な説明】
【００２０】
【図１】本実施例による表示装置の分解斜視図である。
【図２】本実施例による表示装置及びバックライトユニットのボトムカバーの背面及び発光モジュールの結合状態を示す分解斜視図である。
【図３】本実施例による表示装置及びバックライトユニットのボトムカバーの前面及び発光モジュールの結合状態を示す分解斜視図である。
【図４】本実施例による表示装置及びバックライトユニットにおいて支持部材を示す斜視図である。
【図５】本実施例による表示装置及びバックライトユニットにおいて第１支持部材を示す斜視図である。
【図６】本実施例による表示装置及びバックライトユニットにおいて第１支持部材を示す斜視図である。
【図７】本実施例による表示装置において表示パネルを示す斜視図である。
【図８】本実施例による表示装置及びバックライトユニットにおいて第２支持部材を示す斜視図である。
【図９】本実施例による表示装置及びバックライトユニットにおいてボトムカバーの内側に設置された発光モジュールを示す図である。
【図１０】図１の表示装置のＩ−Ｉ'線に沿う断面図である。
【図１１】本実施例による表示装置及びバックライトユニットに配置されるボトムカバー、光学シート、導光板の配置状態を示す斜視図である。
【図１２】本実施例による表示装置において熱移動状態を示す側断面図である。
【発明を実施するための形態】
【００２１】
以下、添付の図面を参照しつつ、実施例について詳細に説明する。ただし。、図面中、同様の構成要素には同様の参照符号を付している。
【００２２】
図１に示すように、本実施例による表示装置は、ボトムカバー１０と、ボトムカバーの内部の一方の側に設けられる発光モジュール（図示せず）と、ボトムカバー１０の前面に配置される反射シート２０と、反射シート２０の前方に配置され、発光モジュールから発散する光を表示装置の前方に導く導光板３０と、導光板３０の前方に配置される光学シート４０と、光学シート４０の前方に配置される液晶表示パネル６０と、液晶表示パネル６０の前方に設けられるトップカバー７０と、ボトムカバー１０とトップカバー７０との間に配置されて、ボトムカバー１０とトップカバー７０を共に固定させる固定部材５０と、を含む。ここで、固定部材５０は、第１、第２、第３、第４固定部材５１，５２，５３，５４を含むことができる。
導光板３０は、光源モジュール（図示せず）から放出される光が面光源の形態で出射するように導く役割を果たし、導光板３０の後方に配置される反射シートは、光源モジュール（図示せず）から放出された光を導光板３０の方向に反射させることで、光効率を制御することができる。
ただし、反射シート２０は、同図に示すように別の構成要素とすることもでき、導光板３０の背面やボトムカバー１０の前面に、反射度の高い物質でコーティングされてなることもできる。
【００２３】
導光板３０の前面に配置される光学シート４０は、導光板３０から放出される光を拡散、屈折させることによって、輝度及び光効率を制御する役割を果たす。
【００２４】
光学シート４０は、複数の構成要素で構成されることもでき、一つの構成要素で構成されることもできる。
すなわち、光学シート４０は、第１拡散シート４１と、プリズムシート４２、第２拡散シート４３を含むこともでき、拡散シートの機能及びプリズムシートの機能を兼ねる一つの光学シートで構成することもできる。
光学シート４０の数と種類は、要求される輝度特性にしたがって様々に選択することができる。
【００２５】
図２及び図３は、本実施例に係るボトムカバー１０の背面及び正面斜視図である。
【００２６】
ボトムカバー１０は、金属材質の板状にすることが好ましく、強度を補強するために、Ｘ軸方向に沿って延在する第１フォーミング部１０ａと、Ｙ軸方向に沿って延在する第２フォーミング部１０ｂと、を含むことができる。ここで、第１フォーミング部１０ａ及び第２フォーミング部１０ｂは、Ｚ軸方向に膨らんで形成されることができる。
【００２７】
第１フォーミング部１０ａ及び第２フォーミング部１０ｂは、ボトムカバー１０をプレス加工して形成することが好ましく、これらはボトムカバー１０の強度を補強するために提供される。
【００２８】
第２フォーミング部１０ｂ同士間にはヒートパイプまたはヒートシンク形態の第１放熱部材１１が設置され、第１放熱部材１１も同様、複数個が互いに離間して配置される。
【００２９】
第１放熱部材１１は、ボトムカバー１０に配置される発光モジュール８０の発光動作によって発生する熱を取り込んで外部に放出する役割を果たす。
このために、第１放熱部材１１は、第２フォーミング部１０ｂ同士間にＹ軸方向に所定長さだけ配置されることができる。
【００３０】
第２フォーミング部１０ｂは、前方に一定長さだけ突延して形成されるから、第１放熱部材１１と隣接する部分は、第１放熱部材１１の設置の円滑化のために傾斜面とすることが好ましい。
【００３１】
ボトムカバー１０の周縁には前方に折り曲がって形成される周縁壁１０ｃが設けられて、ボトムカバー１０の内部に装着される導光板、光学シートまたは反射シートの外部への離脱を防止する。
【００３２】
一方、ボトムカバー１０の下部には、発光モジュール８０が配置され、第１放熱部材１１と接触する第２放熱部材がボトムカバー１０の外部に設けられる。
【００３３】
第２放熱部材１２は、“Ｌ”字状のブラケット形態とされ、第１放熱部材１１と面接触する第１放熱部１２ａと、発光モジュール８０と面接触する第２放熱部１２ｂと、で構成される。
第２放熱部１２ｂと第１放熱部１２ａは折り曲がった状態で配置され、これらは一体とすることが好ましい。
【００３４】
発光モジュール８０はモジュール基板８２と、モジュール基板８２上に配置される発光素子８１と、を含み、発光素子８１は、ＬＥＤで構成することが好ましいが、これに限定されるものではない。
【００３５】
ボトムカバー１０の下部には第２放熱部材１２が装着されることができ、このために、ボトムカバー１０の内部と外部とを連通させる装着溝１００が設けられる。すなわち、装着溝１００により、ボトムカバー１０の外部に提供される第１放熱部材１１はボトムカバー１０の内部に提供される第２放熱部材１２に連結されることができる
【００３６】
装着溝１００に第２放熱部材１２が嵌着されると、第２放熱部材１２の第１放熱部１２ａは第１放熱部材１１と接触することができる。
【００３７】
第２放熱部材１２が装着溝１００に容易に装着されるように、装着溝１００の幅は、第２放熱部材１２の幅に対応して左右に長く形成されることが好ましい。
【００３８】
ボトムカバー１０の下部側には、固定部材５０（図１参照）及びトップカバー７０（図１参照）とがスクリューのような結合部材にて結合されるように結合孔１０ｆ，１０ｇが設けられる。
【００３９】
そして、ボトムカバー１０の左右側の周縁壁１０ｃには、トップカバー７０（図１参照）がひっかかる結合突起１０ｅが設けられる。
【００４０】
一方、ボトムカバー１０の剛性を補完するために、ボトムカバー１０の外部表面にＨビームを設置することができる。
【００４１】
ボトムカバー１０には、第１放熱部材１１をボトムカバー１０に固定させるための設置部材１３が設けられる。
【００４２】
設置部材１３は、左右方向に配置される胴体部１３ａと、胴体部１３ａから垂直方向に第１放熱部材１１に向かって延びる延長部１３ｂと、延長部１３ｂに形成されて、第１放熱部材１１とボトムカバー１０とを締結する締結部材が結合される締結孔１３ｃと、を含む。
【００４３】
したがって、ボトムカバー１０の背面に第１放熱部材１１が置かれた後、この第１放熱部材１１の背面に設置部材１３の延長部１３ｂを載置し、延長部１３ｂに形成されている締結孔１３ｃに締結部材を挿着すると、締結部材の締結力によって、第１放熱部材１１はボトムカバー１０と延長部１３ｂとの間に密着配置された状態で固定される。
【００４４】
図３に示すように、ボトムカバー１０の内部表面には、上述した反射シート２０（図１参照）、導光板３０（図１参照）、及び光学シート４０（図１）などが装着される空間が形成される。
【００４５】
そして、ボトムカバー１０の前面の両側には、反射シート２０（図１参照）、導光板３０（図１参照）、光学シート４０（図１）に形成される溝部（図示せず）に嵌って支持される支持部１０ｄが形成される。
【００４６】
支持部１０ｄは、これらの構成要素が容易にひっかかるように、突起形態または円筒のボス形態とすることが好ましい。
【００４７】
一方、装着溝１００及び装着溝１００に装着される第２放熱部材１２との結合関係について説明すると、第２放熱部材１２の第１放熱部１２ａが装着溝１００にはめ込まれ、第２放熱部１２ｂは、ボトムカバー１００の内部表面に装着される。
【００４８】
このような配置状態にすると、発光モジュール８０の発光素子８１はボトムカバー１０の内側空間に向く。
【００４９】
図４に示すように、固定部材５０は次のような構成を有する。固定部材５０は、第１固定部材５１、第２固定部材５２、第３固定部材５３、第４固定部材５４を含む。
【００５０】
第４固定部材５４は、二分したものとすることができ、分離された２つの第４固定部材に、図面番号５４ａ及び５４ｂをそれぞれ付する。
ここで、第１固定部材５１及び第４固定部材５４は相対向し、ボトムカバー１０（図２参照）の縁領域に配置されることができる。
【００５１】
また、第２固定部材５２及び第３固定部材５３は相対向し、それぞれ、ボトムカバー１０の縁領域に配置されることができる。
【００５２】
なお、第１固定部材５１は合成樹脂材質から構成することができ、第２固定部材５２、第３固定部材５３及び第４固定部材５４は金属材質から構成することができる。
【００５３】
図５及び図６に示すように、第１固定部材５１は、ボトムカバー１０（図１参照）、発光モジュール（図示せず）、光学シート４０（図１参照）上に配置される第１部分５１ａと、第１部分５１ａから垂直に折り曲がってボトムカバー１０（図１参照）に配置される第２部分５１ｂと、を含む。
【００５４】
第１部分５１ａには、図７に示すような表示パネル６０（図１参照）の下部に設けられる軟性印刷回路基板（ｆｌｅｘｉｂｌｅ  ｐｒｉｎｔｅｄ  ｃｉｒｃｕｉｔ  ｂｏａｒｄ）６１がボトムカバー１０（図１参照）の外側に延在するように軟性印刷回路基板６１が配置される陥没路５１ｃが形成される。
【００５５】
そして、陥没路５１ｃの近傍には、ボトムカバー１０（図１参照）にスクリューのような結合部材にて結合するように、または、ボトムカバー１０及びトップカバー７０（図１参照）がスクリューのような結合部材にて結合するように第１結合孔５１ｄが形成される。
【００５６】
そして、第２部分５１ｂには、図７に示すような表示パネル６０の印刷回路基板６２に結合されたチップ６３が配置されるチップ配置ホール５１ｅを形成することができ、ボトムカバー１０及びトップカバー７０（図１参照）を結合するためのスクリューのような結合部材が結合される結合孔５１ｆを形成することができる。
【００５７】
図８に示すように、第２固定部材５２も同様、反射シート２０（図１参照）、導光板３０（図１参照）、光学シート４０（図１参照）がボトムカバー１０（図１参照）に密着するように支持する役割を果たす。
【００５８】
このような第２固定部材５２は、表示パネル６０（図１参照）を支持する第１部分５２ａと、第１部分５２ａから上側方向に突出して表示パネル６０の移動を防止する第２部分５２ｂと、第１部分５２ａから下側方向に突出するとともに、互いに離間して交互に配置されて、ボトムカバー１０の側壁の内側及び外側において結合される第３部分５２ｃ及び第４部分５２ｅと、を含む。
【００５９】
第２部分５２ｂは、第１部分５２ａの外縁から上側に突延し、第４部分５２ｅは、第２部分５２ｂの一方の側に設けられ、第１部分５２ａの外縁から下側に突延する。
そして、第３部分５３ｃは、第１部分５２ａの中央面から下側に突延する。
【００６０】
第２固定部材５２は、第３部分５２ｃ及び第４部分５２ｅによってボトムカバー１０（図１参照）の側壁に圧入して結合されることもできる。
【００６１】
また、第３部分５２ｃには結合突起５２ｄが形成され、結合突起５２ｄはボトムカバー１０（図１参照）に形成された所定の孔に係止されることができる。
【００６２】
第４部分５２ｅにはチップ配置溝５２ｆが形成されることができ、チップ配置溝５２ｆは、図７に示すような表示パネル６０に設けられる軟性印刷回路基板６１上のチップ（図示せず）が配置される空間を提供する。
【００６３】
第１部分５２ａは、軟性印刷回路基板６１と接触する部分に絶縁テープが形成されたり絶縁コーティング層が形成されることができる。
【００６４】
第３固定部材５３は、第２固定部材５２と同一の構造にすることができ、その説明は省略する。
【００６５】
また、第４固定部材５４も、第２固定部材５２及び第３固定部材５３と同一のまたは類似の構造を有するので、重複する説明は省略する。
・   
第４固定部材５４は、ボトムカバー１０（図１参照）の上部側に配置されるから、長く形成される必要がある。
【００６６】
こうする場合、第４固定部材５４が曲がったり損傷する可能性があるので、第４固定部材５４を、図４に示す５４ａ及び５４ｂのように２部分に分割して形成することによって、より強固にボトムカバー１０に結合されることができる。
【００６７】
これに対して、第１固定部材５１は、第４固定部材５４に比べて大きい面積で形成されるから、曲がったり損傷される可能性が低く、合成樹脂材質から形成するとより丈夫になるから、２部分に分割して形成しなくて済む。
【００６８】
図９に示すように、ボトムカバー１０の背面には第１放熱部材１１が相互離隔して配置されており、第１放熱部材１１の一方の側端には第２放熱部材１２が配置されている。
【００６９】
第１放熱部材１１は、ボトムカバー１０の第１方向、好ましくは、Ｘ軸方向に配置され、第２放熱部材１２は、ボトムカバー１０の第２方向、好ましくは、Ｙ軸方向に配置される。
ここで、Ｙ軸方向は、Ｘ軸方向と直交する方向である。
【００７０】
そして、第２放熱部材１２の下面は、第１放熱部材１１の上面と面接触可能に設けられて、相互間に熱伝逹が可能となる。
【００７１】
第２放熱部材１２は、第１放熱部材１１と面接触する第１放熱部１２ａと、第１放熱部１２ａと垂直に配置され、その上に発光モジュール８０が配置される第２放熱部１２ｂと、を含む。
【００７２】
第２放熱部材１２の第２放熱部１２ｂの一面には、発光モジュール８０が配置される。発光モジュール８０は、第２放熱部１２ｂに沿って長く延在するモジュール基板８１と、モジュール基板８１に相互離隔して配置される複数の発光素子８２と、モジュール基板８１に設けられて、モジュール基板８１を外部の電源装置または印刷回路基板に連結するコネクター８３と、を含む。
【００７３】
図９では、発光素子８２をＬＥＤとしているが、これに限定されず、ＬＥＤの他に、ＣＣＦＬのようなランプにしても良く、ＯＬＥＤのような有機発光素子にしても良い。
発光素子８２は、表示パネル６０（図１参照）及びボトムカバー１０の上部または下部のいずれかにのみ配置される、所謂“１−エッジ（ｅｄｇｅ）”形態とすることが好ましい。
【００７４】
発光素子８２は、所望の輝度及び光の均一な分布のために、表示パネル６０（図１参照）の大きさ、すなわち、表示パネル６０のインチ（ｉｎｃｈ）数にしたがって個数を異ならせることができる。
発光素子８２は、表示パネル６０のインチ数の２．５〜３．５倍の個数を配置することが好ましい。
発光素子８２の個数が、表示パネル６０のインチ数の２．５〜３．５倍の範囲を外れると、適切な輝度と均一な分布を有する光を提供することが困難である。
【００７５】
例えば、表示パネル６０が４７インチの場合、発光素子８２は１１８〜１６４個を設置することができる。本実施例では、表示パネル６０は４７インチであり、発光素子８２は１３８個が設置されるとする。
【００７６】
一方、反射シート２０（図１参照）、導光板３０（図１参照）、光学シート４０（図１参照）を支持するための支持部１０ｄは、周縁壁１０ｃのすぐそばに配置されることが好ましい。
【００７７】
図１０に示すように、本実施例によるバックライトユニット及び表示装置の部分的な断面は、下記の通りである。
【００７８】
ボトムカバー１０の外部表面には第１放熱部材１１が配置される。
【００７９】
第２放熱部材１２は、ボトムカバー１０に設けられる装着溝１００（図２または図３を参照）に配置される。
【００８０】
第２放熱部材１２は、略“Ｌ”字状に形成され、第２放熱部材１２の第１放熱部１２ａは第１放熱部材１１に面接触する。
【００８１】
第２放熱部１２ｂは、第１放熱部１２ａと一体として形成されるもので、第１放熱部１２ａと垂直のまたは略垂直の角度で配置される。また、この第２放熱部１２ｂには、発光モジュール８０が配置され、この場合、第２放熱部１２ｂにモジュール基板８１が配置され、このモジュール基板８１上に発光素子８２が配置される。
【００８２】
したがって、モジュール基板８１に電源が印加されて発光素子８２から光が発散される場合、それに伴って熱が発生し、この熱は第２放熱部材１２に伝導された後、第２放熱部材１２と接触している第１放熱部材１１に移動して外部に放出される。
【００８３】
ボトムカバー１０の前面及び第２放熱部材１２の第１放熱部１２ａの前面には反射シート２０が配置され、反射シート２０の前面には導光板３０が配置される。
【００８４】
導光板３０の下端部は発光素子８２に隣接して配置され、発光素子８２から発散された光が導光板３０の内部に入る。
【００８５】
導光板３０の内部に入った光は、その内部で反射、全反射、屈折しつつ大部分は前方に進行する。
ただし、後方へ出射する光は反射シート２０に反射されて再び導光板３０の内部に入る。
【００８６】
導光板３０の前面には、光の光学現象を誘発する光学シート４０が設けられ、光学シート４０の前方には表示パネル６０が配置される。
【００８７】
表示パネル６０の端部には軟性印刷回路基板６１が連結される。この軟性印刷回路基板６１は、第１固定部材５１を通過してバックライトユニットの下方に延在し、この軟性印刷回路基板６１には印刷回路基板６２が連結されてボトムカバー１０の下部に配置される。
【００８８】
そして、トップカバー７０は、表示パネル６０の上下左右の周縁を取り囲むもので、上記の印刷回路基板６２、軟性印刷回路基板６１、及びボトムカバー１０を含むバックライトユニットの上下左右の周縁を取り囲むことでバックライトユニットと表示パネル６０とを結合する役割を果たす。
【００８９】
図１１に示すように、ボトムカバー１０及びボトムカバー１０の側面に配置される第２支持部材５２及び第３支持部材５３（図４参照）の間には反射シート２０、導光板３０、及び光学シート４０が配置される。
【００９０】
反射シート２０、導光板３０及び光学シート４０の側縁には、支持部１０ｄ（図９参照）に嵌って支持される溝部２０ａ，３０ａ，４０ａが形成されている。
【００９１】
図１２に示すように、発光モジュール８０の発光動作による光と熱の流れは、下記の通りである。
【００９２】
本実施例による表示装置がオン（ｏｎ）状態になると、発光モジュール８０に電流が印加され、これによって発光素子８２が発光し、この光が発光モジュール８０の外部に出射する。
導光板３０は、発光モジュール８０からの光を受けて面光源として機能し、このように導光板３０によって誘導された光は光学シート４０を経て屈折のような光学現象を経る。
このような過程によって光効率が向上する。
【００９３】
一方、導光板３０から反射シート２０の方向に放出される光は、反射シート２０の反射作用によって導光板３０の方向に再入射する。
【００９４】
そして、光学シート４０を通過した光が表示パネル６０に入り、表示パネル６０上にイメージをディスプレイしながら、表示装置の外部に放出される。
【００９５】
一方、発光素子８２の発光時に熱はモジュール基板８１に移動する。
【００９６】
モジュール基板８１に移動した熱は第２放熱部材１２に移動し、第２放熱部材１２の熱は第１放熱部材１１に移動する。
【００９７】
第１放熱部材１１は外部空気と熱交換し、このような熱交換作用によって第１放熱部材１１中の熱が外部に放出される。
【００９８】
第１放熱部材１１が、バックライトユニットを構成するボトムカバー１０の内面ではなく外面に配置されるから、バックライトユニットの外部空気との接触面積が従来よりも顕著に増加し、これによって、より迅速で効率的に放熱を行うことができる。
【００９９】
このように構成される実施例において、第２放熱部材１２は、モジュール基板８１の側面及び第１放熱部材１１の上面に接触される第１放熱部１２ａと、モジュール基板８１の下面に接触される第２放熱部１２ｂと、を含むことができる。
【０１００】
ここで、モジュール基板８１の側面と第１放熱部１２ａは、第１接着剤（図示せず）によって接触され、モジュール基板８１の下面と前記第２放熱部１２ｂは第２接着剤（図示せず）によって接触されることができる。
【０１０１】
そして、前記第２放熱部材１２の第１放熱部１２ａは、第１放熱部材１１の上面に平行に配置され、第２放熱部材１２の第２放熱部１２ｂは第１放熱部材１１の上面に垂直に配置されることができる。
【０１０２】
また、第１放熱部１２ａの上面には反射シート２０が配置され、第１放熱部１２ａの下面には第１放熱部材１１が配置されることができる。
【０１０３】
また、第１放熱部１２ａは、互いに対向する第１端部及び第２端部を有し、第１放熱部１２ａの第１端部はボトムカバー１０の端部に接触し、第１放熱部１２ａの第２端部は第２放熱部１２ｂの端部に接触することができる。
すなわち、第１放熱部材１１は、ボトムカバー１０の外部に装着され、第２放熱部材１２はボトムカバー１０内に配置されることができる。ここで、第１放熱部材１１の上部表面は、ボトムカバー１０の下部表面と第２放熱部材１２の第１放熱部１２ａの下部表面に同時に接触することができる。
【０１０４】
本実施例では、バックライトの内部ではなく外部に放熱部材を装着することによって、第１放熱部材に伝達された発光モジュールの熱をバックライトの外部空間で放熱させることができる。
【０１０５】
すなわち、状来の放熱部材はバックライトの内部に装着されることから、バックライトの外部空間の空気と熱交換して発光モジュールの熱を外部に放出するのには限界があったが、実施例では、放熱部材に熱が伝達されながらバックライトの外部空間の空気に移動するので、放熱効率が従来の技術に比べて顕著に向上するという利点がある。
【０１０６】
これにより、発光モジュールの温度と放熱部材との温度差が従来に比べて大きくなり、熱勾配が増加し、このような状態で熱的平衡状態を維持するために、発光モジュールの熱はより多く迅速に放熱部材に移動する。
【０１０７】
したがって、従来技術に比べてより円滑に発光モジュールから熱が除去され、発光モジュールの寿命延長に寄与することが可能になる。
【０１０８】
以上では種々の実施例に挙げて本発明を説明してきたが、本発明の精神及び範囲を逸脱しない限度内で種々の変形及び修正が可能であるということは、当該技術の分野における通常の知識を有する当業者にとっては明らかである。特に、本発明の詳細な説明、図面及び添付の請求項の範囲内で構成要素及び／またはその組み合わせの様々な変形及び修正が可能である。これら構成要素及び／またはその組み合わせの様々な変形及び修正に加えて、その他の利用が当業者には明らかである。
【図１】
0005815996.tif 000002
【図２】
0005815996.tif 000003
【図３】
0005815996.tif 000004
【図４】
0005815996.tif 000005
【図５】
0005815996.tif 000006
【図６】
0005815996.tif 000007
【図７】
0005815996.tif 000008
【図８】
0005815996.tif 000009
【図９】
0005815996.tif 000010
【図１０】
0005815996.tif 000011
【図１１】
0005815996.tif 000012
【図１２】
0005815996.tif 000013